(57)【特許請求の範囲】
【請求項１】
流入口、流出口、排水口を有する弁箱の上端から延長されるパイプの地上部に、給湯管に接続される受湯口を位置させて設け、通水時は上記受湯口からの湯を、弁箱内に収容されるピストンにロッドを介して連結される受湯桿で遮断し、ピストンが移動して流入口、流出口間が遮断され、流出口、排水口間が開口して、給水管内の水が排水口から排出したときに、受湯桿も移動して受湯口を開口し、給湯管からの湯を流出口側に混入しないよう排出させることを特徴とする湯水抜栓。
【発明の詳細な説明】
【０００１】
【発明の属する技術分野】
本発明は、寒冷地で水道配管の凍結防止のために使用される水抜栓に関し、特に、湯と水を１回の操作で同時に排出させるようにした湯水抜栓に関する。
【０００２】
【従来の技術】
従来、寒冷地において、凍結防止のために水まわり配管内の水だけでなく、湯回り配管内の湯も排出する場合には、例えば同一出願人による特願平８−２９４７９８号公報のように、水抜栓の下流側配管内に湯と水を同時に排出する湯水排出弁をもうけ、水抜栓を排水状態にした後で湯水排出弁を開き、湯と水を同時に排出するようにしたものが多く使用されていた。
【０００３】
しかし上記のものにおいては、使用者が、水抜栓と湯水排出弁の２回の操作をしなければならず、面倒であり、操作方法を間違えば、湯水排出弁から水が噴き出したままになる危険性もあった。また、弁を２個使用しなければならないので、当然コストも上昇する。
【０００４】
そのため、特開平１０−１１４９７４号公報のように、水抜栓の弁箱に湯受け口を流出口と別体に設け、地中を配管して給湯器からの湯配管と接続し、水抜栓の１回の操作で、湯と水を同時に、しかも別々に排出する方法が提案されている。上述のものによれば、操作も簡単になり、操作ミスも生じないが、弁構造が複雑で、また、地中を湯配管していかなければならないため、やはりコストが高くなり、さらに、配管内の湯が長期間に亘って流動することがない、停滞水部分が多くなり、いかに飲み水ではないといえ、決して好ましいことではない、という問題もあった。
【０００５】
【発明が解決しようとする課題】
本発明は上記課題を解決するために出願されたものであり、１回の操作で湯と水を別々に排出でき、コストの安い、しかも、停滞水をできるだけ少なくした湯水抜栓を提供することを目的とする。
【０００６】
【課題を解決するための手段】
上記課題解決のため本発明の水抜栓は、流入口、流出口、排水口を有する弁箱の上端から延長されるパイプの地上部に、給湯管に接続される受湯口を位置させて設け、通水時は上記受湯口からの湯を、弁箱内に収容されるピストンにロッドを介して連結される受湯桿で遮断し、ピストンが移動して流入口、流出口間が遮断され、流出口、排水口間が開口して給水管内の水が排水口から排出したときに、受湯桿も移動して受湯口を開口し、給湯管からの湯を流出口側に混入しないよう排出させるようにしたものである。
【０００７】
【発明の実施の形態】
以下、図面に基づいて実施形態を詳細に説明する。図４に本発明の湯水抜栓の設置状態図の１実施例を示すが、図は湯水を床下配管している例であり、地中に埋設された引込管１に接続された湯水抜栓２から地上部に延長される給水管３はチーズ４により分岐され、１つは給湯器５に接続される。給湯器５からの給湯管６はチーズ４’により分岐され、一端が湯水抜栓２の受湯金具７に接続される。
【０００８】
湯水抜栓２の上端操作部は、２個のユニバーサルジョイント８，８’、連結棒９，９’により、床１０に固定された床ハンドル１１に連結される。湯水抜栓２の操作方法はその他にもいろいろあり、電動にして床上に設けた制御ボックスのスイッチで遠隔操作するようにしても良いし、改め口の蓋を開き、手を差し込んでハンドル操作するようにしても良い。また、受湯金具７はその位置のままで、別のパイプで上方にまっすぐ床上まで延長し、操作部を、床上に出すようにすることもできる。
【０００９】
床ハンドル１１は、同一出願人による実公昭６０−２８８５５号公報と同様のものを使用しており、操作時には把手（図示せず）を屹立させて回転させ、その回転力を連結棒９，９’、ユニバーサルジョイント８，８’を介して湯水抜栓２に伝えるようにしている。通常状態においては、床ハンドル１１は床１０とほぼ同じ高さになっているので、日常生活の邪魔にならず、便利である。
【００１０】
最近は、できるだけ配管を室内に露出させないようにするため、給水管３および給湯管６は床下で適宜な勾配を設けて横配管し、台所、洗面所等、必要箇所に立ち上げることが多くなっており、水抜栓も段々床上に突出させないようになってきている。なお、湯水抜栓２には、地中の汚水が入り込まないよう水と湯の排出口に逆止弁１２，１２’を取り付けている。
【００１１】
図１に本発明の湯水抜栓２の一実施例を示しているが、弁箱１３側壁に下方から順に、流入口１４，流出口１５，水の排出口となる排水口１６，湯の排出口となる排湯口１７を設け、内部には、上から順に、シリンダ１８，１９，２０，２１を形成する。排水口１６，排湯口１７には図４の逆止弁１２，１２’が取り付けられる。
【００１２】
弁箱１３内には、上記シリンダ１８，１９，２０，２１をそれぞれ摺動する４個の環状パッキン２２，２３，２４，２５を装着するピストン２６が収容されており、下端から環状パッキン２２，２３間に開口する連通口２７を穿っている。連通口２７は、環状パッキン２２上方に開口するようにしても良い。
【００１３】
弁箱１３はパイプ２８により地上部まで延長され、上端に支持金具２９を接続し、さらにその上端に、内面に操作用雌ねじ３０を有する操作金具３１を接続する。側方に受湯口３２を有する受湯金具３３を、図４の給湯管６と接続が容易なように、操作金具３１と支持金具２９間に回転自在に位置させている。支持金具２９は受湯口３２に対応する位置に、複数個の横穴３４を穿ち、その上下に受湯シリンダ３５，３６を形成する。
【００１４】
操作金具３１内には、上記作動用雌ねじ３０に螺合する作動用雄ねじ３７を有する操作桿３８を収容し、その下端部に、上記受湯シリンダ３５，３６を摺動する２個の受湯パッキン３９，４０を装着する受湯桿４１を回転自在に管吊連結している。受湯桿４１は、ロッド４２によりピストン２６と連結されている。なお、４３，４４は漏水防止用Ｏリングである。
【００１５】
図は通水状態を示しており、流入口１４からの水は流出口１５、図４の給水管３を通って、給湯器５あるいはチーズ４で分岐されて台所等、他の末端器具にまで達している。給湯管６からの湯はチーズ４’で分岐され、受湯口３２側と、やはり台所等、他の末端器具にまで達している。この状態では、環状パッキン２３，２５および受湯パッキン３９，４０により湯水の漏水は防止されている。
【００１６】
この状態から、凍結防止のため配管内の湯水を抜きたいときには、図４の床ハンドル１１を操作して操作桿３８を回転させると良く、作動用雄ねじ３７が操作金具３１の作動用雌ねじ３０に螺合しているので、操作桿３８は回転しながら上昇し、それに伴って、操作桿３８に管吊結合された受湯桿４１、受湯桿４１にロッド４２により連結されたピストン２６は回転することなく上昇する。
【００１７】
その時、まず環状パッキン２４がシリンダ２０に密着して流入口１４からの水を遮断し、その後で環状パッキン２３がシリンダ１９から、受湯パッキン４０が受湯シリンダ３６から離脱して、給水管３内の水は排水口１６、給湯管６内の湯はパイプ２８を通って排湯口１７から、それぞれ地中に排出される。
【００１８】
排水口１６、排湯口１７には図４のように逆止弁１２，１２’が取り付けられているため、排出された湯水が弁箱１３，パイプ２８内に逆流することはない。また、この状態でも環状パッキン２２はシリンダ１８に密着しているため、汚染水と考えられている湯が、流出口１５側に入り込むことはないが、通水状態で環状パッキン２２をシリンダ１８から下方に離脱させておき、排水状態でシリンダ１８に密着させても良く、その分だけ弁箱１３を短くできる。
【００１９】
図２に本発明の弁箱の他の実施例を排水状態で示しているが、図１の排湯口１７を省略し、湯も水も排水口１６から排出させようというものであり、そのかわりピストン２６の連通口２７内に逆止ボール４５を収容し、パイプ２８から排水口１６へ排出される湯が、流出口１５側に侵入することを防止するようにしている。
【００２０】
すなわち、流出口１５からの水は、環状パッキン２２が排水口１６下方にもうけた最上端シリンダ１８に密着しているため、下側排水横穴４６を通って逆止ボール４５を上昇させ、上側排水横穴４７から排水口１６へと排出されている。この時、湯も同時に排水口１６から排出されているが、もし、湯の排出勢いが水のそれに勝っているときは、逆止ボール４５を逆止弁座４８に押圧し、流出口１５側に湯は入り込まないようになっている。
【００２１】
排水終了後は、逆止ボール４５が逆止弁座４８に密着して流出口１５内に地中の汚水が入り込むことはないが、パイプ２８を介して給湯管６側に汚水が入り込むことのないよう、排水口６には逆止弁１２を取り付けている。本実施例のものは、排湯口１７を省略できるのでそれだけコストが安く付くという利点があるが、いずれにしても、図１，図２の実施例においては、パイプ２８に湯の排出路という新たな機能を付加した、新規性のあるもので、湯を地下配管するより材料費、工事費を大幅に安くでき、メンテナンスも容易にしたものである。
【００２２】
図３示す実施例は、排湯口１７を地上部に設け、湯をパイプ２８でなく、樹脂製の外パイプ４９から地中に排出させようとするもので、従来の水抜栓の弁箱をそのまま流用できる利点がある。
【００２３】
弁箱１３は一例として、流入口１４を流出口１５の上方に位置させ、排水口１６を最下端部に設けたものを採用しており、内部に下から順に３個のシリンダ１９，２０，２１を形成し、ピストン２６には上記シリンダを摺動する、下から順に３個の環状パッキン２３，２４，２５を装着する。
【００２４】
パイプ２８上端に接続される支持金具２９側方に受湯口３２，排湯口１７を形成し、内部に３個の受湯シリンダ３５，３６，５０を有している。上記シリンダ３５，３６，５０を摺動する３個の受湯パッキン３９，４０，５１を装着する受湯桿４１内部に操作桿３８を貫通させており、操作桿３８の下端部にロッド継手５２を管吊接続している。
【００２５】
排湯口１７は下向きＬ字状に曲げられ、下端部に比重が１より小さい樹脂製ボール５３をピン５４により離脱しないよう収容し、排水状態で万一、水位が床浸水等により上昇した場合にも、排湯弁座５５に密着して受湯口３２側に逆流することがないようにしている。
【００２６】
図の通水状態から、排水状態にするときは、操作桿３８を回転、下降させるとよく、ピストン２６は回転することなく下降し、まず、環状パッキン２４がシリンダ２０に密着し、その後で環状パッキン２３がシリンダ１９から離脱して、排水口１６から排水が始まるとともに、作動用雄ねじ３７の下端部が受湯桿４１に当接して、受湯桿４１を回転させずに下降させ、受湯パッキン４０が受湯シリンダ３６から離脱し、受湯口３２からの湯は、排湯口１７を通って外パイプ４９に放出され、下端部に設けた樹脂製底蓋５６の排出穴５７から地中に排出される。
【００２７】
受湯桿４１は、ピストン２６よりストロークを少なくすることができるので、支持金具２９をそれだけ短くすることができる。外パイプ４９を使用せず、排湯口１７にホースを接続し、台所や洗面所等の排水管に導くことも可能である。本発明湯水抜栓の弁構造および操作機構は種々のものが考えられ、弁座を有するもの、作動用ネジを使用せず、カム機構を用いて操作を簡単にしたもの等、自由に設計変更可能である。
【００２８】
【発明の効果】
以上のように本発明においては、基本的には地上部に設けた受湯口部分で湯を遮断し、排水時は、パイプを通って地中に排出するようにしているため、１回の操作で湯と水を排出させることができ、操作ミスにより、水を漏水させてしまうという事故も生ぜず、弁構造も簡単にでき、余分な地中配管をすることもないので、コストが安くつき、停滞水も少なくなるので衛生的である、という効果を有する。
【図面の簡単な説明】
【図１】本発明の湯水抜栓の１実施例を示す、通水常態における縦断面図である。
【図２】本発明の湯水抜栓の他の実施例を示す、排水状態における部分縦断面図である。
【図３】本発明の湯水抜栓のもう一つの実施例を示す、通水状態における縦断面図である。
【図４】本発明の湯水抜栓の設置状態図である。
【符号の説明】
３              給水管
６              給湯管
１３              弁箱
１４              流入口
１５              流出口
１６              排水口
１７              排湯口
２６              ピストン
２８              パイプ
３２              受湯口
４１              受湯桿
４２              ロッド
【図１】
0003620519.tif 000002
【図２】
0003620519.tif 000003
【図３】
0003620519.tif 000004
【図４】
0003620519.tif 000005